(57)【要約】【課題】  既存のＰＯＳシステムを大幅に変更することなく、ＰＯＳシステムを用いたキャンペーンを実施すること、及び、複数のキャンペーンに容易に応募することを可能にする。【解決手段】  ＰＯＳ端末３００は、購買情報ａとユニークＩＤとパスワードとをレシート８１０に印字し、購買情報ａとユニークＩＤとパスワードとを含む提供情報８００をＰＯＳサーバ４００に提供する。ＰＯＳサーバ４００は、対象商品購買情報ｂとユニークＩＤとパスワードとを含む抽出情報８２０を購買データベース５００に提供する。ユーザ端末２００は、レシート８１０に印字されたユニークＩＤ及びパスワードをＣＰＮ統括管理サーバ７００に通知することによってキャンペーンに応募する。ＣＰＮ統括管理サーバ７００は、通知されたユニークＩＤに関連づけられている対象商品購買情報が記憶されていれば応募を受け付ける。【選択図】図１
2006011741.tif 000002
【特許請求の範囲】
【請求項１】
消費者によって購入された商品を識別する商品識別情報と該商品の個数とを含む購買情報をレシートに印字するＰＯＳ端末であって、
前記購買情報を識別するための購買情報識別情報を決定する識別情報決定部と、
該識別情報決定部によって決定された前記購買情報識別情報をレシートに印字する印字部と、
前記決定された購買情報識別情報と前記購買情報とをＰＯＳサーバに提供する購買情報提供部とを備えることを特徴とするＰＯＳ端末。
【請求項２】
前記識別情報決定部は、少なくとも前記商品が購入された店舗及び日付を示す文字列を含む前記購買情報識別情報と、該購買情報識別情報を所定の演算式に入力して得られるパスワードとを発行し、該発行した購買情報識別情報を、前記購買情報を識別するための購買情報識別情報として決定することを特徴とする請求項１に記載のＰＯＳ端末。
【請求項３】
前記購買情報識別情報と該購買情報識別情報の有効性を判断するためのパスワードとを関連づけて記憶する識別情報記憶部を備え、
前記識別情報決定部は、前記識別情報記憶部によって記憶されている前記購買情報識別情報から選択した購買情報識別情報を、前記購買情報を識別するための購買情報識別情報として決定することを特徴とする請求項１に記載のＰＯＳ端末。
【請求項４】
消費者によって購入された商品を識別する商品識別情報と該商品の個数とを含む購買情報を収集するＰＯＳサーバであって、
前記購買情報と、該購買情報を識別する購買情報識別情報とをＰＯＳ端末から取得する購買情報取得部と、
該購買情報取得部によって取得された前記購買情報から、実施されているキャンペーンを識別するキャンペーン識別情報に関連づけられている前記商品識別情報及び商品の個数を抽出する抽出部と、
該抽出部によって抽出された前記商品識別情報及び商品の個数を含む対象商品購買情報と、前記購買情報識別情報とを関連づけてキャンペーン管理システムに提供する対象商品購買情報提供部とを備えることを特徴とするＰＯＳサーバ。
【請求項５】
キャンペーンに対する応募を受け付けるキャンペーン管理システムであって、
消費者によって購入された商品を識別する商品識別情報と該商品の個数とを含む購買情報を識別する購買情報識別情報をユーザ端末から取得する購買情報識別情報取得部と、
該購買情報識別情報取得部によって取得された前記購買情報識別情報に関連づけられている対象商品購買情報が記憶されているか否かについて判断する判断部と、
該判断部によって、前記対象商品購買情報が記憶されていると判断された場合に、前記ユーザ端末からのキャンペーンに対する応募を受け付ける応募受付部とを備えることを特徴とするキャンペーン管理システム。
【請求項６】
前記購買情報識別情報取得部は、少なくとも前記商品が購入された店舗及び日付を示す文字列を含む前記購買情報識別情報と、該購買情報識別情報を所定の演算式に入力して得られるパスワードとを取得し、
前記判断部は、前記演算式及び前記パスワードに基づいて、前記購買情報識別情報取得部によって取得された前記購買情報識別情報の有効性について判断することを特徴とする請求項５に記載のキャンペーン管理システム。
【請求項７】
ＰＯＳ端末が、消費者によって購入された商品を識別する商品識別情報と該商品の個数とを含む購買情報を識別するための購買情報識別情報を決定する工程と、
前記ＰＯＳ端末が、決定した前記購買情報識別情報をレシートに印字する工程と、
ＰＯＳサーバが、前記購買情報と前記購買情報識別情報とを前記ＰＯＳ端末から取得する工程と、
前記ＰＯＳサーバが、取得した前記購買情報から、実施されているキャンペーンを識別するキャンペーン識別情報に関連づけられている前記商品識別情報及び商品の個数を抽出する工程と、
前記ＰＯＳサーバが、抽出した前記商品識別情報及び商品の個数を含む対象商品購買情報と、前記購買情報識別情報とを関連づけてキャンペーン管理システムに提供する工程と、
前記キャンペーン管理システムが、ユーザ端末から取得した前記購買情報識別情報に関連づけられている前記対象商品購買情報を記憶しているか否かについて判断する工程と
前記キャンペーン管理システムが、前記対象商品購買情報を記憶していると判断した場合に、前記ユーザ端末からのキャンペーンに対する応募を受け付ける応募受付部とを備えることを特徴とするキャンペーン管理方法。
【発明の詳細な説明】
【技術分野】
【０００１】
本発明は、キャンペーン管理方法、及び、かかるキャンペーン管理方法に用いられるＰＯＳ端末、ＰＯＳサーバ、キャンペーン管理システムに関する。
【背景技術】
【０００２】
従来、対象商品を購入することによって応募できるキャンペーンが、当該対象商品を提供するメーカーによって実施されている。対象商品を購入した消費者は、当該対象商品に付されたシールを葉書に貼付してメーカーに送付すること等によって、このようなキャンペーンに応募できる。
【０００３】
又、メーカーは、消費者によって購入された商品の商品名や個数を含む購買情報を収集するＰＯＳ（Ｐｏｉｎｔ  Ｏｆ  Ｓａｌｅｓ）システムを用いたキャンペーンを実施している。対象商品を購入した消費者は、当該対象商品を購入した際に、ＰＯＳシステムに含まれるＰＯＳ端末によってレシートに印字された識別情報を、メーカーによって管理されるサーバに通知すること等によってキャンペーンに応募できる。これによれば、キャンペーンを実施するメーカーは、シール作成等の経費を削減することができる（例えば、特許文献１、特許文献２参照。）。
【特許文献１】特開２００２−６３４５６号公報
【特許文献２】特開２００３−６５００号公報
【発明の開示】
【発明が解決しようとする課題】
【０００４】
しかしながら、従来は、複数のメーカーによる複数のキャンペーンがＰＯＳシステムを用いて実施される場合に、ＰＯＳ端末は、購入された対象商品に応じて、当該対象商品を提供する各メーカーによって管理されるユニークな識別情報を印字しなければならなかった。従って、複数のメーカーが、ＰＯＳシステムを用いた複数のキャンペーンを実施するためには、ＰＯＳシステムを大幅に変更する必要があった。
【０００５】
又、複数のメーカーによって実施される複数のキャンペーンの対象商品を購入した消費者が各キャンペーンに応募するためには、当該消費者は各キャンペーンを実施する各メーカーによって管理されるサーバ等にそれぞれの対象商品に応じて発行されたユニークな識別情報を通知しなければならなかった。
【０００６】
そこで、本発明は以上の点に鑑みてなされたもので、既存のＰＯＳシステムを大幅に変更することなく、ＰＯＳシステムを用いたキャンペーンを実施すること、及び、複数のキャンペーンに容易に応募することを可能にすることを目的とする。
【課題を解決するための手段】
【０００７】
本発明の第１の特徴は、消費者によって購入された商品を識別する商品識別情報と当該商品の個数とを含む購買情報をレシートに印字するＰＯＳ端末であって、購買情報を識別するための購買情報識別情報を決定する識別情報決定部と、識別情報決定部によって決定された購買情報識別情報をレシートに印字する印字部と、決定された購買情報識別情報と購買情報とをＰＯＳサーバに提供する購買情報提供部とを備えることを要旨とする。
【０００８】
かかる発明によれば、消費者によって、複数のキャンペーンに係る複数の商品が購入された場合であっても、識別情報決定部が、複数の商品識別情報を含む購買情報を識別するための購買情報識別情報を１つ決定するため、１の購買情報識別情報に基づいて、消費者が複数のキャンペーンに応募する資格を有すると判断することが可能になる。
【０００９】
又、識別情報決定部は、購入された商品に応じて、キャンペーンを実施する各メーカーによって管理されるユニークな識別情報を商品毎に決定するのでなく、複数の商品識別情報を含む購買情報を識別するための購買情報識別情報を１つ決定するため、購買情報を収集する既存のＰＯＳシステムに含まれ、読み込んだ購買情報をレシートに印字する機能を備えているＰＯＳ端末を大幅に変更せずに、ＰＯＳ端末に識別情報決定部の機能を持たせることが可能になる。
【００１０】
本発明の第１の特徴において、識別情報決定部は、少なくとも商品が購入された店舗及び日付を示す文字列を含む購買情報識別情報と、当該購買情報識別情報を所定の演算式に入力して得られるパスワードとを発行し、発行した購買情報識別情報を、購買情報を識別するための購買情報識別情報として決定するように構成されていてもよい。
【００１１】
かかる発明によれば、識別情報決定部が、商品が購入された店舗及び日付を示す文字列を含む購買情報識別情報を発行するため、各店舗に設置されているＰＯＳ端末は他のＰＯＳ端末によって発行された購買情報識別情報の通知を受けなくても、他の店舗において発行される購買情報識別情報と異なるユニークな購買情報識別情報を発行できる。よって、例えば、異なるチェーン店によって管理されるＰＯＳシステムのように、互いに接続されていない複数のＰＯＳシステムを用いたキャンペーンを容易に実施することが可能になる。
【００１２】
又、識別情報決定部は、当該購買情報識別情報を所定の演算式に入力して得られるパスワードを併せて発行するため、パスワード及び演算式に基づいて、取得した購買情報識別情報の有効性を判断することが可能になる。よって、実際には商品を購入していない消費者から不正な購買情報識別情報が通知されたことを判断し、当該消費者によるキャンペーンに対する応募を受け付けることを防ぐことが可能になる。
【００１３】
本発明の第１の特徴において、ＰＯＳ端末は、購買情報識別情報と購買情報識別情報の有効性を判断するためのパスワードとを関連づけて記憶する識別情報記憶部を備え、識別情報決定部は、識別情報記憶部によって記憶されている購買情報識別情報から選択した購買情報識別情報を、購買情報を識別するための購買情報識別情報として決定するように構成されていてもよい。
【００１４】
かかる発明によれば、識別情報決定部は、識別情報記憶部によって記憶されている購買情報識別情報から購買情報識別情報を選択するため、識別情報決定部が購買情報識別情報を発行する場合より、ＰＯＳ端末に識別情報決定部の機能を持たせることが容易となる。
【００１５】
本発明の第２の特徴は、消費者によって購入された商品を識別する商品識別情報と当該商品の個数とを含む購買情報を収集するＰＯＳサーバであって、購買情報と、当該購買情報を識別する購買情報識別情報とをＰＯＳ端末から取得する購買情報取得部と、購買情報取得部によって取得された購買情報から、実施されているキャンペーンを識別するキャンペーン識別情報に関連づけられている商品識別情報及び商品の個数を抽出する抽出部と、抽出部によって抽出された商品識別情報及び商品の個数を含む対象商品購買情報と、購買情報識別情報とを関連づけてキャンペーン管理システムに提供する対象商品購買情報提供部とを備えることを要旨とする。
【００１６】
かかる発明によれば、対象商品購買情報提供部が、抽出部によって購買情報から抽出されたキャンペーンに係る情報を含む対象商品購買情報と購買情報識別情報とを関連づけてキャンペーン管理システムに提供するため、キャンペーン管理システムは、購買情報よりデータ量が小さい対象商品購買情報を購買情報識別情報と関連づけて管理することによって、購買情報識別情報を通知した消費者がキャンペーンに応募する資格を有しているか否かを判断することができる。
【００１７】
本発明の第３の特徴は、キャンペーンに対する応募を受け付けるキャンペーン管理システムであって、消費者によって購入された商品を識別する商品識別情報と当該商品の個数とを含む購買情報を識別する購買情報識別情報をユーザ端末から取得する購買情報識別情報取得部と、購買情報識別情報取得部によって取得された購買情報識別情報に関連づけられている対象商品購買情報が記憶されているか否かについて判断する判断部と、判断部によって、対象商品購買情報が記憶されていると判断された場合に、ユーザ端末からのキャンペーンに対する応募を受け付ける応募受付部とを備えることを要旨とする。
【００１８】
かかる発明によれば、対象商品購買情報に複数のキャンペーンに係る商品識別情報が含まれるように構成されているため、ユーザ端末は、１の購買情報識別情報をキャンペーン管理システムに通知することによって、複数のキャンペーンに容易に応募することが可能になる。  
本発明の第３の特徴において、購買情報識別情報取得部は、少なくとも商品が購入された店舗及び日付を示す文字列を含む購買情報識別情報と、当該購買情報識別情報を所定の演算式に入力して得られるパスワードとを取得し、判断部は、演算式及びパスワードに基づいて、購買情報識別情報取得部によって取得された購買情報識別情報の有効性について判断するように構成されていてもよい。
【００１９】
かかる発明によれば、判断部が、購買情報識別情報取得部によって取得された購買情報識別情報の有効性を演算式及びパスワードに基づいて判断するため、キャンペーン管理システムは、購買情報識別情報の発行元によって発行された購買情報識別情報の通知を受けることなく、ユーザ端末から取得した購買情報識別情報の有効性について判断することができる。よって、キャンペーン管理システムは、購買情報識別情報の発行元によって発行された購買情報識別情報の通知を受けることなく、実際には商品を購入していない消費者から不正な購買情報識別情報が通知されたことを判断し、当該消費者によるキャンペーンに対する応募を受け付けることを防ぐことができる。
【００２０】
本発明の第４の特徴は、キャンペーン管理方法であって、ＰＯＳ端末が、消費者によって購入された商品を識別する商品識別情報と当該商品の個数とを含む購買情報を識別するための購買情報識別情報を決定する工程と、ＰＯＳ端末が、決定した購買情報識別情報をレシートに印字する工程と、ＰＯＳサーバが、購買情報と購買情報識別情報とをＰＯＳ端末から取得する工程と、ＰＯＳサーバが、取得した購買情報から、実施されているキャンペーンを識別するキャンペーン識別情報に関連づけられている商品識別情報及び商品の個数を抽出する工程と、ＰＯＳサーバが、抽出した商品識別情報及び商品の個数を含む対象商品購買情報と、購買情報識別情報とを関連づけてキャンペーン管理システムに提供する工程と、キャンペーン管理システムが、ユーザ端末から取得した購買情報識別情報に関連づけられている対象商品購買情報が記憶されているか否かについて判断する工程とキャンペーン管理システムが、対象商品購買情報を記憶していると判断した場合に、ユーザ端末からのキャンペーンに対する応募を受け付ける応募受付部とを備えることを要旨とする。
【発明の効果】
【００２１】
以上説明したように、本発明によれば、既存のＰＯＳシステムを大幅に変更することなく、ＰＯＳシステムを用いたキャンペーンの実施をすること、及び、複数のキャンペーンに容易に応募することが可能になる。
【発明を実施するための最良の形態】
【００２２】
（本発明の一実施形態に係るキャンペーン応募システムの構成）
図１〜図７を参照して、本実施形態に係るキャンペーン応募システム１の構成について説明する。図１の概念図に示されるように、本実施形態に係るキャンペーン応募システム１は、キャンペーン実施者側装置１００ａ，１００ｂと、ユーザ端末２００と、ＰＯＳ端末３００と、ＰＯＳサーバ４００と、購買データベース５００と、個人情報データベース６００と、ＣＰＮ（キャンペーン）統括管理サーバ７００とを備える。
【００２３】
以下、各構成について詳細に説明する。キャンペーン実施者側装置１００ａ，１００ｂは、それぞれキャンペーンを実施する複数のメーカーによって管理される装置であり、ユーザ端末２００からのキャンペーンに対する応募に応じて行われる抽選の結果が当選であった場合に、当該ユーザ端末２００を操作する消費者に係る個人情報である当選者情報をＣＰＮ統括管理サーバ７００から取得するものである。ここで、個人情報には、消費者の名前と、消費者の住所、メールアドレス等の連絡先とが含まれる。キャンペーン実施者側装置１００ａ，１００ｂは、ＣＰＮ統括管理サーバ７００と、無線ＬＡＮ、インターネット、専用線等で接続される。
【００２４】
ユーザ端末２００は、ＰＯＳ端末３００によって印字されたレシート８１０を取得した消費者の操作によって、レシート８１０に印字されたユニークＩＤとパスワードとをＣＰＮ統括管理サーバ７００に通知することによりキャンペーンに応募するものである。
【００２５】
具体的には、ユーザ端末２００は、レシート８１０を取得した消費者の操作によって入力されたユニークＩＤとパスワードとを含む通知情報８３０をＣＰＮ統括管理サーバ７００に通知する。ユーザ端末２００は、ＣＰＮ統括管理サーバ７００から、ユーザ端末２００を操作する消費者が応募する資格を有するキャンペーンのキャンペーン名と、当該キャンペーンに対する応募を受け付けるサイトのアドレス情報とを含む応募情報を取得する。ユーザ端末２００は、取得した応募情報に基づいて、キャンペーンに対する応募を受け付けるサイトにアクセスし、キャンペーンに応募する。
【００２６】
ここで、ユニークＩＤは、消費者によって購入された商品を識別する商品識別情報である商品名と当該商品の個数とを含む購買情報を識別する購買情報識別情報であり、パスワードは、当該ユニークＩＤをＣＰＮ統括管理サーバ７００との間で予め合意された所定の演算式に入力して得られる文字列である。又、キャンペーン名は、キャンペーンを識別するキャンペーン識別情報である。
【００２７】
ユーザ端末２００は、キャンペーンに対する応募に応じて行われる抽選の結果をＣＰＮ統括管理サーバ７００から取得する。
【００２８】
ユーザ端末２００は、ＣＰＮ統括管理サーバ７００と、移動通信網、無線ＬＡN、インターネット等で接続される。ユーザ端末２００は、例えば、携帯電話や、ＰＤＡ（Ｐｅｒｓｏｎａｌ  Ｄｉｇｉｔａｌ  Ａｓｓｉｓｔａｎｃｅ）や、パソコンである。
【００２９】
ＰＯＳシステム２には、各店舗に設置されて、各店舗における購買情報を読み込み、読み込んだ購買情報をレシートに印字すると共に、読み込んだ購買情報をＰＯＳサーバに提供するＰＯＳ端末３００と、購買情報を収集するＰＯＳサーバ４００とが含まれる。
【００３０】
本実施形態に係るＰＯＳ端末３００は、読み込んだ購買情報の他、購買情報を識別するユニークＩＤと、パスワードとを含む提供情報をＰＯＳサーバ４００に提供するものである。ＰＯＳ端末３００は、ＰＯＳサーバ４００と、無線ＬＡＮ、インターネット、専用線等で接続される。
【００３１】
図２に示すように、ＰＯＳ端末３００は、通信部３１０と、購買情報読込部３２０と、ユニークＩＤ決定部３３０と、印字部３４０と、購買情報提供部３５０とを備える。通信部３１０は、ＰＯＳサーバ４００と通信するものである。購買情報読込部３２０は、バーコードリーダやＩＣリーダを制御することによって、購買情報を読み込むものである。例えば、図１に示される提供情報８００に含まれる購買情報ａは、商品名が「Ａ商品」である商品が３個、商品名が「Ｂ商品」である商品が１個、商品名が「Ｃ商品」である商品が２個、商品名が「Ｄ商品」である商品が１個購入されたことを示す。
【００３２】
ユニークＩＤ決定部３３０は、購買情報読込部３２０から取得した購買情報を識別するためのユニークＩＤを決定する識別情報決定部である。ユニークＩＤ決定部３３０は、少なくとも商品が購入された店舗及び日付を示す文字列を含むユニークＩＤと、当該ユニークＩＤをＣＰＮ統括管理サーバ７００との間で予め合意された所定の演算式に入力して得られるパスワードとを発行し、発行したユニークＩＤを、購買情報を識別するためのユニークＩＤとして決定する。
【００３３】
例えば、ユニークＩＤ決定部３３０は、提供情報８００に含まれるユニークＩＤ“Ａ０３０５１５００５４”とパスワード“０９８７６５４３２１”とを発行する。当該ユニークＩＤの内、“Ａ０３”は、商品が購入された店舗が“Ａ”チェーン店の“０３”で識別される店舗であったことを示し、“０５１５”は、商品が購入された日付が５月１５日であったことを示し、“００５４”は、当該店舗において当該日付に読み込まれた５４番目の購買情報であることを示す文字列である。又、当該パスワードは、ユニークＩＤ“Ａ０３０５１５００５４”をＣＰＮ統括管理サーバ７００との間で予め合意された所定の演算式に入力して得られる文字列である。このようにユニークＩＤ決定部３３０は、購買情報ａのように複数種類の商品が購入されたことを示す購買情報について１のユニークＩＤを発行し、発行したユニークＩＤを、購買情報を識別するためのユニークＩＤとして決定する。
【００３４】
又、ユニークＩＤ決定部３３０は、購買情報読込部３２０から取得した購買情報と、発行したユニークＩＤ及びパスワードを印字部３４０と購買情報提供部３５０とに入力する。
【００３５】
印字部３４０は、購買情報とユニークＩＤとパスワードとをレシートに印字するものである。具体的には、印字部３４０は、購買情報と、ユニークＩＤ決定部３３０によって決定されたユニークＩＤ及びパスワードをユニークＩＤ決定部３３０から取得し、レシートプリンタを制御することによって、取得した購買情報とユニークＩＤとパスワードとをレシートに印字する。又、印字部３４０は、ＣＰＮ統括管理サーバ７００において、ユニークＩＤ及びパスワードの通知を受け付けるサイトのアドレス情報であるＵＲＬもレシートに印字してもよい。
【００３６】
購買情報提供部３５０は、ユニークＩＤ決定部３３０から取得した購買情報とユニークＩＤとパスワードとを含む提供情報８００を、通信部３１０を介してＰＯＳサーバ４００に提供することにより、ユニークＩＤと購買情報とをＰＯＳサーバ４００に提供するものである。
【００３７】
本実施形態に係るＰＯＳサーバ４００は、ＰＯＳ端末３００から取得した購買情報から、キャンペーンに係る情報を抽出し、当該キャンペーンに係る情報を含む対象商品購買情報と、ＰＯＳ端末３００から併せて取得したユニークＩＤ及びパスワードとを関連づけて購買データベース５００に提供するものである。ＰＯＳサーバ４００は、ＰＯＳ端末３００及び購買データベース５００と無線ＬＡＮ、インターネット、専用線等で接続される。
【００３８】
図３に示すように、ＰＯＳサーバ４００は、通信部４１０と、入力部４２０と、キャンペーン情報記憶部４３０と、購買情報取得部４４０と、抽出部４５０とを備える。通信部４１０は、ＰＯＳ端末３００及び購買データベース５００と通信するものである。入力部４２０は、ＰＯＳサーバ４００に対する入力を受け付けるものである。入力部４２０は、ＰＯＳシステム２を用いて実施されるキャンペーンを識別する情報であるキャンペーン名と、当該キャンペーンが実施される期間と、当該キャンペーンの対象商品の商品名とを含むキャンペーン情報の入力を受け付けた場合に、入力されたキャンペーン情報をキャンペーン情報記憶部４３０に入力する。
【００３９】
キャンペーン情報記憶部４３０は、図４に示すように、入力部４２０から取得したキャンペーン情報を記憶するものである。図４における「期間」が、キャンペーンが実施される期間であり、「対象商品」が、キャンペーンの対象商品の商品名である。このようにキャンペーン情報記憶部４３０において、キャンペーン名とキャンペーンの対象商品の商品名とが関連づけられている。
【００４０】
キャンペーンには、あらゆる商品の販売促進を目的としたキャンペーンや環境保全活動の促進を目的としたキャンペーン等が考えられる。例えば清涼飲料水の販売促進を目的としたキャンペーンの対象商品としては、特定の清涼飲料水メーカーによって提供される１種類又は複数種類の商品が考えられる。又、複数のメーカーによって実施される販売促進のキャンペーンの対象商品としては、複数のメーカーによって提供される複数種類の商品が考えられる。或いは、環境保全活動の促進を目的としたキャンペーンの対象商品としては、例えばエコマーク（登録商標）が付されたゴミ袋、ノート、プリンタ等の商品が考えられる。
【００４１】
購買情報取得部４４０は、購買情報と、購買情報を識別するユニークＩＤと、パスワードとをＰＯＳ端末３００から取得するものである。例えば、購買情報取得部４４０は、購買情報ａとユニークＩＤとパスワードとを含む提供情報８００を、通信部４１０を介してＰＯＳ端末３００から取得する。購買情報取得部４４０は、取得した提供情報８００を抽出部４５０に入力する。
【００４２】
抽出部４５０は、キャンペーン情報記憶部４３０を参照し、購買情報取得部４４０によって取得された購買情報から、実施されているキャンペーンのキャンペーン名に関連づけられている商品名及び商品の個数を抽出するものである。ここで、キャンペーン名に関連づけられている商品名は、キャンペーン情報記憶部４３０において、キャンペーン名に関連づけられている対象商品の商品名である。
【００４３】
例えば、抽出部４５０は、購買情報取得部４４０から、５月１５日にＰＯＳ端末３００によって読み込まれた購買情報ａを含む提供情報８００を取得する。図４に示すキャンペーン情報記憶部４３０において、５月１５日に実施されているキャンペーン「○○キャンペーン」、「××キャンペーン」と関連づけられている商品は「Ａ商品」、「Ｃ商品」、「Ｅ商品」であるため、抽出部４５０は、購買情報ａに含まれる商品名「Ａ商品」、「Ｂ商品」、「Ｃ商品」、「Ｄ商品」から「Ａ商品」、「Ｃ商品」及びこれらの商品の個数を抽出する。
【００４４】
又、抽出部４５０は、抽出した商品名及び商品の個数を含む対象商品購買情報を生成し、生成した対象商品購買情報とユニークＩＤとを関連づけてＣＰＮ統括管理システム３に提供する対象商品購買情報提供部としても機能する。具体的には、抽出部４５０は、購買情報ａから抽出した商品名と商品の個数とを含む対象商品購買情報ｂを生成し、生成した対象商品購買情報ｂと、提供情報８００に含まれるユニークＩＤ及びパスワードとを含む抽出情報８２０を、通信部４１０を介してＣＰＮ統括管理システム３に含まれる購買データベース５００に提供する。
【００４５】
ＣＰＮ統括管理システム３は、キャンペーンに対する応募を受け付けるキャンペーン管理システムである。ＣＰＮ統括管理システムには、購買データベース５００と個人情報データベース６００とＣＰＮ統括管理サーバ７００とが含まれる。
【００４６】
購買データベース５００は、図５に示すようにＰＯＳサーバ４００から取得した抽出情報８２０を記憶することにより、対象商品購買情報とユニークＩＤとパスワードとを記憶するものである。
【００４７】
個人情報データベース６００は、消費者の個人情報と、消費者の趣味、嗜好、購買履歴等の動向情報と、キャンペーンに応募する資格を得るために蓄積されたポイント数等のキャンペーン参加情報とを、個人ＩＤと関連づけて記憶するものである。ここで、ポイント数とはキャンペーンの対象商品を購入した個数を示す。
【００４８】
ＣＰＮ統括管理サーバ７００は、ＣＰＮ統括管理システム３に含まれる購買データベース５００と個人情報データベース６００とを参照して、キャンペーンの実施を管理するものである。ＣＰＮ統括管理サーバ７００は、購買データベース５００、個人情報データベース６００、キャンペーン実施者側装置１００ａ，１００ｂ及びユーザ端末２００と、無線ＬＡＮ、インターネット、専用線、移動通信網等で接続される。
【００４９】
図６に示すように、ＣＰＮ統括管理サーバ７００は、通信部７０５と、入力部７１０と、応募情報データベース７１５と、ユニークＩＤ取得部７２０と、判断部７２５と、応募情報提供部７３０と、応募受付部７３５と、抽選部７４０と、当選者情報取得部７４５と、当選者情報提供部７５０とを備える。
【００５０】
通信部７０５は、購買データベース５００、個人情報データベース６００、キャンペーン実施者側装置１００ａ，１００ｂ及びユーザ端末２００と通信するものである。入力部７１０は、ＣＰＮ統括管理サーバ７００に対する入力を受け付けるものである。入力部７１０は、応募情報の入力を受け付けた場合に、入力された応募情報を応募情報データベース７１５に入力する。ここで、応募情報は、キャンペーンに応募するために必要な情報であり、キャンペーン名、キャンペーンの対象商品の商品名、キャンペーンに応募する資格を得るために購入する必要がある対象商品の個数を示す必要ポイント数、キャンペーンに対する応募を受け付けるサイトのアドレス情報を含む。
【００５１】
応募情報データベース７１５は、図７に示すように入力部７１０から取得した応募情報を記憶するものである。図７における、「対象商品」が、キャンペーンの対象商品の商品名であり、「応募サイト」が、キャンペーンに対する応募を受け付けるサイトである応募サイトのアドレス情報である。
【００５２】
ユニークＩＤ取得部７２０は、少なくとも商品が購入された店舗及び日付を示す文字列を含むユニークＩＤと、当該ユニークＩＤを所定の演算式に入力して得られるパスワードとをユーザ端末から取得する購買情報識別情報取得部である。具体的には、ユニークＩＤ取得部７２０は、ＰＯＳ端末３００によってレシートに印字されたユニークＩＤと、当該ユニークＩＤを所定の演算式に入力して得られるパスワードとを、通信部７０５を介してユーザ端末２００から取得する。又、ユニークＩＤ取得部７２０は、取得した通知情報に含まれるユニークＩＤ及びパスワードを判断部７２５に入力する。
【００５３】
判断部７２５は、ユニークＩＤ取得部７２０によって取得されたユニークＩＤに関連づけられている対象商品購買情報が、購買データベース５００に記憶されているか否かについて判断するものである。
【００５４】
例えば、判断部７２５は、ユニークＩＤ取得部７２０から図１に示す通知情報８３０を取得した場合に、通信部７０５を介して、購買データベース５００を参照し、通知情報８３０に含まれるユニークＩＤと関連づけられている対象商品購買情報を検索する。判断部７２５は、図５に示すように、購買データベース５００に、当該ユニークＩＤと関連づけられている対象商品購買情報ｂが記憶されていると判断する。
【００５５】
又、判断部７２５は、取得したユニークＩＤの有効性について判断する。具体的には、判断部７２５は、取得したユニークＩＤに関連づけられている対象商品購買情報が記憶されていると判断した場合には、購買データベース５００において当該ユニークＩＤと関連づけられているパスワードがユニークＩＤと共に取得したパスワードと一致するか否かを判断する。例えば、判断部は、通知情報８３０を取得した場合に、購買データベース５００において、通知情報８３０に含まれるユニークＩＤと関連づけられているパスワードが通知情報８３０に含まれるパスワードと一致するため、当該ユニークＩＤは有効であると判断する。
【００５６】
このように、判断部７２５が、ユニークＩＤと関連づけられている対象商品購買情報が記憶されており、かつ、当該ユニークＩＤが有効であると判断した場合に、判断部７２５は購買データベース５００から当該ユニークＩＤと関連づけられている対象商品購買情報ｂを取得し、取得した対象商品購買情報ｂを応募情報提供部７３０に入力する。又、判断部７２５は、ユニークＩＤが無効であると判断した場合には、その旨のメッセージを、通信部７０５を介してユーザ端末２００に通知する。
【００５７】
一方、判断部７２５は、取得したユニークＩＤと関連づけられている対象商品購買情報が記憶されていない場合には、ＰＯＳ端末３００との間で予め合意された所定の演算式及び通知情報に含まれるパスワードに基づいて、ユニークＩＤ取得部７２０によって取得されたユニークＩＤの有効性について判断する。
【００５８】
具体的には、判断部７２５は、取得した通知情報に含まれるユニークＩＤをＰＯＳ端末３００との間で予め合意された所定の演算式に入力して得られる文字列と当該通知情報に含まれるパスワードが一致するか否かを判断する。判断部７２５は、一致すると判断した場合にはユニークＩＤは有効、一致しないと判断した場合にはユニークＩＤは無効と判断する。判断部７２５は、取得したユニークＩＤが無効と判断した場合には、その旨のメッセージを、通信部７０５を介してユーザ端末２００に通知する。又、判断部７２５は、ユニークＩＤが有効と判断した場合には、ユニークＩＤに含まれる文字列によって示される、商品が購入された日付から所定の日数経過後に再度ＣＰＮ統括管理サーバ７００にアクセスすることを促すメッセージを、通信部７０５を介してユーザ端末２００に通知する。
【００５９】
応募情報提供部７３０は、判断部７２５によって、対象商品購買情報が記憶され、かつ、ユニークＩＤが有効であると判断された場合に、判断部７２５から取得した対象商品購買情報に含まれる対象商品に対応する応募情報を、通信部７０５を介してユーザ端末２００に提供するものである。
【００６０】
応募情報提供部７３０は、以下のような動作で応募情報を提供する。例えば、応募情報提供部７３０は、判断部７２５から対象商品購買情報ｂを取得した場合には、対象商品購買情報ｂに含まれる対象商品の商品名「Ａ商品」、「Ｃ商品」に対応する応募情報を図７に示す応募情報データベース７１５から取得する。応募情報提供部７３０は、取得した応募情報に基づいて、ユーザ端末２００を操作する消費者がキャンペーンに応募する資格を有するか否かを判断し、有すると判断した場合に、当該応募情報をユーザ端末２００に提供する。
【００６１】
具体的には、応募情報提供部７３０は、取得した応募情報に含まれる必要ポイント数と対象商品購買情報ｂに含まれる対象商品が購入された個数とを比較し、キャンペーンに応募できる応募可能回数を判断する。応募情報提供部７３０は、「Ａ商品」が購入された個数「３」と、「○○キャンペーン」に応募するために必要なポイント数「１」とを比較し、「○○キャンペーン」に対する応募可能回数を「３」と判断する。応募情報提供部７３０は、このように応募可能回数が１以上であると判断した場合に、ユーザ端末２００を操作する消費者はキャンペーンに応募する資格を有すると判断し、キャンペーン名「○○キャンペーン」と、応募サイト「ｈｔｔｐ：／／ｗｗｗ．○○．ｃｏｍ／ｏｕｂｏ．ｈｔｍｌ」と、応募可能回数「３」とを含む応募情報を、通信部７０５を介してユーザ端末２００に提供する。
【００６２】
一方、応募情報提供部７３０は、「Ｃ商品」が購入された個数「２」と、「××キャンペーン」に応募するために必要なポイント数「５」とを比較し、応募可能回数を「０」と判断する。応募情報提供部７３０は、このように応募可能回数が「０」であると判断した場合には、ユーザ端末２００を操作する消費者はキャンペーンに応募する資格を有していないと判断し、応募可能回数「０」と、キャンペーン名「××キャンペーン」と、必要ポイント数「５」とをユーザ端末２００に提供する。更に、この場合、応募情報提供部７３０は、個人情報データベース６００にキャンペーンに応募する資格を得るためのポイントとして「Ｃ商品」が購入された個数「２」を個人情報データベース６００に蓄積することを促す情報をユーザ端末２００に提供する。
【００６３】
尚、応募情報提供部７３０がユーザ端末２００に提供する情報はＨＴＭＬ（Ｈｙｐｅｒｔｅｘｔ  Ｍａｒｋｕｐ  Ｌａｎｇｕａｇｅ）等の言語で記述される。
【００６４】
応募受付部７３５は、判断部７２５によって対象商品購買情報が記憶されていると判断された場合に、ユーザ端末２００からのキャンペーンに対する応募を受け付けるものである。具体的には、応募受付部７３５は、判断部７２５によって対象商品が記憶されていると判断され、かつ、ユニークＩＤが有効であると判断された場合に、ユーザ端末２００に提供される応募情報に基づく応募をユーザ端末２００から受け付ける。又、応募受付部７３５は、ユーザ端末２００によってアクセスされた応募サイトに応じて、ユーザ端末２００が応募したキャンペーンのキャンペーン名を抽選部７４０に入力する。
【００６５】
抽選部７４０は、応募受付部７３５から取得したキャンペーン名のキャンペーンの内容に応じて抽選を行うものである。又、抽選部７４０は、抽選結果を、通信部７０５を介してユーザ端末２００に通知する。更に抽選部７４０は、抽選結果が当選であった場合に、当選者情報取得部７４５にその旨のメッセージを入力する。
【００６６】
当選者情報取得部７４５は、抽選部７４０から抽選結果が当選であった旨のメッセージを取得した場合に、当選した消費者の個人情報である当選者情報を取得するものである。具体的には、当選者情報取得部７４５は、通信部７０５を介してユーザ端末２００を操作する消費者に係る個人ＩＤ又は個人情報を取得する。当選者情報取得部７４５は、個人ＩＤを取得した場合に、通信部７０５を介して個人情報データベース６００から、個人ＩＤに関連づけられている個人情報を取得する。又、当選者情報取得部７４５は、個人情報データベース６００又はユーザ端末２００から取得した個人情報である当選者情報を当選者情報提供部７５０に入力する。
【００６７】
当選者情報提供部７５０は、当選者情報取得部７４５から取得した当選者情報を、通信部７０５を介して当該キャンペーンを実施するキャンペーン実施者側装置１００ａ，１００ｂに提供するものである。
【００６８】
（本発明の一実施形態に係るキャンペーン管理方法）
図８は、本実施形態に係るキャンペーン応募システム１において、ＰＯＳ端末３００が購買情報を読み込んでから、ＰＯＳサーバ４００が対象商品購買情報を購買データベース５００に提供するまでのシーケンスの一例を示す図である。
【００６９】
ステップ１０１において、ＰＯＳ端末３００上の購買情報読込部３２０がバーコードリーダやＩＣリーダを制御することによって、購買情報を読み込む。
【００７０】
ステップ１０２において、ユニークＩＤ決定部３３０が、読み込まれた購買情報を識別するユニークＩＤと、当該ユニークＩＤをＣＰＮ統括管理サーバ７００との間で予め合意された所定の演算式に入力して得られるパスワードとを発行する。
【００７１】
ステップ１０３において、ユニークＩＤ決定部３３０が、ステップ１０２において発行したユニークＩＤを、購買情報を識別するためのユニークＩＤとして決定する。
【００７２】
ステップ１０４において、印字部３４０が、ユニークＩＤ決定部３３０によって発行されたユニークＩＤとパスワードとをレシートに印字する。
【００７３】
ステップ１０５において、ＰＯＳ端末３００上の通信部３１０が、購買情報とユニークＩＤとパスワードとを含む提供情報をＰＯＳサーバ４００上の通信部４１０に送信して提供し、ＰＯＳサーバ４００上の通信部４１０が、当該提供情報を受信する。
【００７４】
ステップ１０６において、抽出部４５０が、取得した提供情報から抽出したキャンペーンに係る情報を含む対象商品購買情報を生成する。
【００７５】
ステップ１０７において、ＰＯＳサーバ上の通信部４１０が、生成された対象商品購買情報とユニークＩＤとパスワードとを含む抽出情報を購買データベース５００に送信して提供する。
【００７６】
図９は、本実施形態に係るキャンペーン応募システム１において、ＣＰＮ統括管理サーバ７００がユーザ端末２００からユニークＩＤ及びパスワードを取得してから、キャンペーンに対する応募に応じて行われる抽選の結果が当選であった場合に当選者情報をキャンペーン実施者側装置１００ａ，１００ｂに提供するまでのシーケンスの一例を示す図である。
【００７７】
ステップ２０１において、ユーザ端末２００がＣＰＮ統括管理サーバ７００上の通信部７０５に購買情報を識別するユニークＩＤとパスワードとを含む通知情報を送信してユニークＩＤとパスワードとを通知し、ＣＰＮ統括管理サーバ７００上の通信部７０５がユニークＩＤとパスワードとを受信する。
【００７８】
ステップ２０２において、判断部７２５が、通信部７０５を介して購買データベース５００を参照し、取得されたユニークＩＤと関連づけられている対象商品購買情報を検索する。
【００７９】
ステップ２０３において、判断部７２５が、購買データベース５００に、当該対象商品購買情報が記憶され、かつ、ユニークＩＤが有効か否かについて判断する。
【００８０】
ステップ２０３において、判断部７２５が、当該対象商品購買情報が記憶されていないか又はユニークＩＤが無効であると判断した場合に、ステップ２０４において、ＣＰＮ統括管理サーバ７００上の通信部７０５が、判断部７２５による判断結果に基づくメッセージをユーザ端末２００に送信して通知し、ユーザ端末２００が当該メッセージを受信する。
【００８１】
ステップ２０３において、当該対象商品購買情報が記憶されており、かつ、ユニークＩＤが有効であると判断された場合に、ステップ２０５において、ＣＰＮ統括管理サーバ７００上の通信部７０５が、ユーザ端末２００を操作する消費者が応募する資格を有するキャンペーンの応募情報をユーザ端末２００に送信して提供し、ユーザ端末２００が当該応募情報を受信する。
【００８２】
ステップ２０６において、ユーザ端末２００が、取得した応募情報に基づいて応募サイトにアクセスし、キャンペーンに応募する。
【００８３】
ステップ２０７において、抽選部７４０が、ユーザ端末２００が応募したキャンペーンの内容に応じて抽選を行う。
【００８４】
ステップ２０８において、ＣＰＮ統括管理サーバ７００上の通信部７０５が、抽選結果をユーザ端末２００に送信して通知し、ユーザ端末２００が当該抽選結果を受信する。
【００８５】
ステップ２０９において、抽選部７４０が、抽選結果が当選であったか否かについて判断する。
【００８６】
ステップ２１０において、ＣＰＮ統括管理サーバ７００上の通信部７０５は、抽選結果が当選であった場合に、ユーザ端末２００から、当選した消費者に係る個人ＩＤ又は個人情報を取得する。
【００８７】
ステップ２１１において、当選者情報取得部７４５が、個人ＩＤを取得したか否かについて判断する。
【００８８】
ステップ２１１において、個人ＩＤが取得されたと判断された場合に、ステップ２１２において、ＣＰＮ統括管理サーバ７００上の通信部７０５が、個人情報データベース６００から、取得された個人ＩＤに関連づけられている個人情報を取得する。
【００８９】
ステップ２１３において、ＣＰＮ統括管理サーバ７００上の通信部７０５が、ステップ２１０においてユーザ端末２００から取得した個人情報、又は、ステップ２１２において個人情報データベース６００から取得した個人情報である当選者情報をキャンペーン実施者側装置１００ａ，１００ｂに送信して提供し、キャンペーン実施者側装置１００ａ，１００ｂは当該当選者情報を受信する。
【００９０】
（本実施形態に係るキャンペーン応募システムの効果）
このようなキャンペーン応募システム１によれば、消費者によって、複数のキャンペーンに係る複数の商品が購入された場合であっても、ユニークＩＤ決定部３３０が、複数の商品名を含む購買情報を識別するためのユニークＩＤを１つ決定するため、１のユニークＩＤに基づいて、消費者が複数のキャンペーンに応募する資格を有すると判断することが可能になる。
【００９１】
又、ユニークＩＤ決定部３３０は、購入された商品に応じて、キャンペーンを実施する各メーカーによって管理されるユニークな識別情報を商品毎に決定するのでなく、複数の商品名を含む購買情報を識別するためのユニークＩＤを１つ決定するため、購買情報を収集する既存のＰＯＳシステムに含まれ、読み込んだ購買情報をレシートに印字する機能を備えているＰＯＳ端末を大幅に変更せずに、ＰＯＳ端末にユニークＩＤ決定部３３０の機能を持たせることが可能になる。
【００９２】
特に、ユニークＩＤ決定部３３０が、商品が購入された店舗及び日付を示す文字列を含むユニークＩＤを発行するため、各店舗に設置されているＰＯＳ端末は他のＰＯＳ端末によって発行されたユニークＩＤの通知を受けなくても、他の店舗において発行されるユニークＩＤと異なるユニークなユニークＩＤを発行できる。よって、例えば、異なるチェーン店によって管理されるＰＯＳシステムのように、互いに接続されていない複数のＰＯＳシステムを用いたキャンペーンを容易に実施することが可能になる。
【００９３】
更に、ユニークＩＤ決定部３３０は、当該ユニークＩＤを所定の演算式に入力して得られるパスワードを併せて発行するため、パスワード及び演算式に基づいて、取得したユニークＩＤの有効性を判断することが可能になる。よって、実際には商品を購入していない消費者から不正なユニークＩＤが通知されたことを判断し、当該消費者によるキャンペーンに対する応募を受け付けることを防ぐことが可能になる。
【００９４】
又、抽出部４５０が、購買情報から抽出したキャンペーンに係る情報を含む対象商品購買情報とユニークＩＤとを関連づけてＣＰＮ統括管理システム３に含まれる購買データベース５００に提供するため、ＣＰＮ統括管理システム３は、購買情報よりデータ量が小さい対象商品購買情報をユニークＩＤと関連づけて管理することによって、ユニークＩＤを通知した消費者がキャンペーンに応募する資格を有しているか否かを判断することができる。
【００９５】
更に、対象商品購買情報に複数のキャンペーンに係る商品名が含まれるように構成されているため、ユーザ端末２００は、１のユニークＩＤをＣＰＮ統括管理システム３に含まれるＣＰＮ統括管理サーバ７００に通知することによって、複数のキャンペーンに容易に応募することが可能になる。
【００９６】
又、判断部７２５が、ユニークＩＤ取得部７２０によって取得されたユニークＩＤの有効性を演算式及びパスワードに基づいて判断するため、ＣＰＮ統括管理システム３に含まれるＣＰＮ統括管理サーバ７００は、ユニークＩＤの発行元であるＰＯＳ端末３００によって発行されたユニークＩＤの通知を受けることなく、ユーザ端末２００から取得したユニークＩＤの有効性について判断することができる。よって、ＣＰＮ統括管理サーバ７００は、ＰＯＳ端末３００によって発行されたユニークＩＤの通知を受けることなく、実際には商品を購入していない消費者から不正なユニークＩＤが通知されたことを判断し、当該消費者によるキャンペーンに対する応募を受け付けることを防ぐことができる。
【００９７】
（変更例）
なお、本発明は上記実施形態に限定されるものではなく、種々の変更が可能である。その一例として、図１０に、ＣＰＮ統括管理サーバ７００が、ユニークＩＤとパスワードとをＰＯＳ端末３００ａに提供すると共に、提供したユニークＩＤとパスワードとを関連づけてＣＰＮ統括管理システム３に含まれるユニークＩＤデータベース５５０に提供し、記憶させる場合のキャンペーン応募システム１ａを示す。
【００９８】
キャンペーン応募システム１ａに含まれるＰＯＳ端末３００ａは、図１１に示すように、ユニークＩＤ記憶部３６０とユニークＩＤ管理部３７０とを備える。キャンペーン応募システム１ａにおいては、ユニークＩＤ管理部３７０が、ＰＯＳサーバ４００を介してＣＰＮ統括管理サーバ７００からユニークＩＤと、ユニークＩＤの有効性を判断するためのパスワードとを取得する。ユニークＩＤ記憶部３６０は、ユニークＩＤ管理部３７０から取得したユニークＩＤとパスワードとを関連づけて記憶する識別情報記憶部である。
【００９９】
ユニークＩＤ決定部３３０は、ユニークＩＤ記憶部３６０によって記憶されているユニークＩＤから選択したユニークＩＤを、購買情報を識別するためのユニークＩＤとして決定する。又、ユニークＩＤ決定部３３０は、購買情報読込部３２０から取得した購買情報と、選択したユニークＩＤと、ユニークＩＤ記憶部３６０において当該ユニークＩＤと関連づけられているパスワードとを印字部３４０と購買情報提供部３５０とに入力する。尚、キャンペーン応募システム１と同一の部分については説明を省略する。
【０１００】
キャンペーン応募システム１ａにおいては、ユニークＩＤ決定部３３０は、ユニークＩＤ記憶部３６０によって記憶されているユニークＩＤからユニークＩＤを選択するため、ユニークＩＤ決定部３３０がユニークＩＤを発行する場合より、ＰＯＳ端末３００ａにユニークＩＤ決定部３３０の機能を持たせることが容易となる。
【０１０１】
又、ＣＰＮ統括管理サーバ７００上の判断部７２５は、ユーザ端末２００から通知されたユニークＩＤを、ユニークＩＤデータベース５５０に記憶されているユニークＩＤから検索し、当該ユニークＩＤと関連づけられているパスワードとユーザ端末から通知されたパスワードが一致するか否かによってユニークＩＤの有効性を判断することができる。このため、判断部７２５は、ユニークＩＤを演算式に入力しなくても、不正なユニークＩＤが通知されたことを判断し、当該消費者によるキャンペーンに対する応募を受け付けることを防ぐことができる。
【０１０２】
更には、この場合であっても、ＰＯＳサーバ４００は、ＣＰＮ統括管理サーバ７００と通信してユニークＩＤ及びパスワードを取得すればよく、複数のキャンペーン実施者側装置１００ａ，１００ｂのそれぞれと通信して、それぞれの商品に応じてユニークなユニークＩＤの提供を受ける必要がない。
【０１０３】
その他の例としては、ユニークＩＤ決定部３３０によって発行されるユニークＩＤは、少なくとも商品が購入された店舗及び日付を示す文字列を暗号化したものであってもよい。これによれば、商品を購入していない消費者が、偶然に有効なユニークＩＤ及びこれに関連づけられるパスワードを生成する可能性を減少させることが可能になる。
【０１０４】
又、ＣＰＮ統括管理システム３は、独立した購買データベース５００と個人情報データベース６００とＣＰＮ統括管理サーバ７００とを備えるが、購買データベース５００及び個人情報データベース６００の機能を備えたＣＰＮ統括管理サーバ７００のみを備えてもよい。これによれば、ＣＰＮ統括管理サーバ７００は購買データベース５００及び個人情報データベース６００と通信する必要がない。
【０１０５】
或いは、ＰＯＳサーバ４００は、キャンペーン情報記憶部４３０に記憶されるキャンペーン情報をＣＰＮ統括管理サーバ７００やキャンペーン実施者側装置１００ａ，１００ｂから通信部４１０を介して取得してもよい。同様に、ＣＰＮ統括管理サーバ７００は、応募情報データベース７１５に記憶される応募情報をキャンペーン実施者側装置１００ａ，１００ｂから通信部７０５を介して取得してもよい。
【図面の簡単な説明】
【０１０６】
【図１】本実施形態に係るキャンペーン応募システムの構成を示す概念図である。
【図２】本実施形態に係るＰＯＳ端末の構成を示すブロック図である。
【図３】本実施形態に係るＰＯＳサーバの構成を示すブロック図である。
【図４】本実施形態に係るキャンペーン情報記憶部の一例を示す図である。
【図５】本実施形態に係る購買データベースの一例を示す図である。
【図６】本実施形態に係るＣＰＮ統括管理サーバの構成を示すブロック図である。
【図７】本実施形態に係る応募情報データベースの一例を示す図である。
【図８】本実施形態に係るキャンペーン応募システムにおいて、ＰＯＳ端末が購買情報を読み込んでから、ＰＯＳサーバが対象商品購買情報を購買データベースに提供するまでのシーケンスの一例を示す図である。
【図９】本実施形態に係るキャンペーン応募システムにおいて、ＣＰＮ統括管理サーバがユーザ端末からユニークＩＤ及びパスワードを取得してから、キャンペーンに対する応募に応じて行われる抽選の結果が当選であった場合に当選者情報をキャンペーン実施者側装置に提供するまでのシーケンスの一例を示す図である。
【図１０】変更例に係るキャンペーン応募システムの構成を示す概念図である。
【図１１】変更例に係るＰＯＳ端末の構成を示すブロック図である。
【符号の説明】
【０１０７】
１，１ａ  ・・・    キャンペーン応募システム
１００ａ，１００ｂ  ・・・    キャンペーン実施者側装置  
２００  ・・・    ユーザ端末
３００，３００ａ  ・・・    ＰＯＳ端末
３１０  ・・・    通信部  
３２０  ・・・    購買情報読込部  
３３０  ・・・    ユニークＩＤ決定部  
３４０  ・・・    印字部  
３５０  ・・・    購買情報提供部
３６０  ・・・    ユニークＩＤ記憶部
３７０  ・・・    ユニークＩＤ管理部
４００  ・・・    ＰＯＳサーバ  
４１０  ・・・    通信部
４２０  ・・・    入力部
４３０  ・・・    キャンペーン情報記憶部
４４０  ・・・    購買情報取得部
４５０  ・・・    抽出部
５００  ・・・    購買データベース  
５５０  ・・・    ユニークＩＤデータベース
６００  ・・・    個人情報データベース  
７００  ・・・    ＣＰＮ統括管理サーバ  
７０５  ・・・    通信部
７１０  ・・・    入力部
７１５  ・・・    応募情報データベース
７２０  ・・・    ユニークＩＤ取得部
７２５  ・・・    判断部
７３０  ・・・    応募情報提供部
７３５  ・・・    応募受付部
７４０  ・・・    抽選部
７４５  ・・・    当選者情報取得部
７５０  ・・・    当選者情報提供部
【図１】
2006011741.tif 000003
【図２】
2006011741.tif 000004
【図３】
2006011741.tif 000005
【図４】
2006011741.tif 000006
【図５】
2006011741.tif 000007
【図６】
2006011741.tif 000008
【図７】
2006011741.tif 000009
【図８】
2006011741.tif 000010
【図９】
2006011741.tif 000011
【図１０】
2006011741.tif 000012
【図１１】
2006011741.tif 000013